(57)【要約】【課題】外観意匠性及び防水性に優れた開口部周り施工構造及び開口部周り化粧部材を提供すること。【解決手段】既存壁の前方から新たな窯業系外壁板２を配設すると共に建物の開口部４２の周りに開口部周り化粧部材３を配設してなる，リフォーム用の開口部周り施工構造１。既存壁の前面には，開口部４２の周りの４辺に沿って下地材１１が固定され，その前方から開口部周り化粧部材３が固定されている。開口部周り化粧部材３は，窯業系材料からなると共に，下地材１１の前方に配される前板部３１と，後方へ屈曲形成された折返し板部３２とを有する。前板部３１は，窯業系外壁板２と隣接し，折返し板部３２の後端３２１は開口部４２の内方へ向うよう配置されている。開口部周り化粧部材３同士の間，及び開口部周り化粧部材３と窯業系外壁板２との間には，シーリング材１２が打設してある。【選択図】  図１
2004225392.tif 000002
【特許請求の範囲】
【請求項１】
既存の建物の既存壁の前方から，新たな窯業系外壁板を配設すると共に，上記建物の開口部の周りに，上記既存壁の前方から開口部周り化粧部材を配設してなる，リフォーム用の開口部周り施工構造であって，
上記既存壁の前面には，上記開口部の周りの４辺に沿って下地材が固定され，該下地材には，その前方から上記開口部周り化粧部材が固定されており，
該開口部周り化粧部材は，窯業系材料からなると共に，上記下地材の前方に配される前板部と，該前板部から後方へ屈曲形成された折返し板部とを有し，
上記前板部は，上記窯業系外壁板と隣接して配置され，上記折返し板部は，その後端が上記開口部の内方へ向うよう配置されており，
かつ，上記開口部の周りの４辺に沿って配設された上記開口部周り化粧部材同士の間，及び該開口部周り化粧部材と上記窯業系外壁板との間には，シーリング材が打設してあることを特徴とする開口部周り施工構造。
【請求項２】
請求項１において，上記開口部の上辺に配された上記開口部周り化粧部材は，上記折返し板部の裏側面と上記前板部の裏側面とのなす角度が鈍角であることを特徴とする開口部周り施工構造。
【請求項３】
請求項１または２において，上記開口部の上辺に配された上記開口部周り化粧部材は，上記折返し板部に，略鉛直方向に貫通した水抜き穴を形成してなることを特徴とする開口部周り施工構造。
【請求項４】
請求項３において，上記水抜き穴は，上記折返し板部に穿設した貫通穴に樹脂製のパイプを埋め込んでなることを特徴とする開口部周り施工構造。
【請求項５】
請求項１〜４のいずれか１項において，上記開口部周り化粧部材と上記下地材との間には，略鉛直方向に貫通した通気穴を有するパッキン材が介在していることを特徴とする開口部周り施工構造。
【請求項６】
既存の建物の開口部の周りに既存壁の前方から配設する，リフォーム用の開口部周り化粧部材であって，
該開口部周り化粧部材は，窯業系材料からなると共に，平板状の前板部と，該前板部から後方へ屈曲形成された折返し板部とを有してなり，
上記開口部周り化粧部材を上記開口部の周りに配設したとき，上記前板部は，上記既存壁の前方から配設される新たな窯業系外壁板と隣接して配置され，上記折返し板部は，その後端が上記開口部の内方へ向うように配置されるよう構成されていることを特徴とする開口部周り化粧部材。
【請求項７】
請求項６において，上記折返し板部の裏側面と上記前板部の裏側面とのなす角度が鈍角であることを特徴とする開口部周り化粧部材。
【請求項８】
請求項６または７において，上記開口部周り化粧部材は，上記開口部の上辺に配される化粧部材であり，上記折返し板部に，略鉛直方向に貫通した水抜き穴を形成してなることを特徴とする開口部周り化粧部材。
【請求項９】
請求項８において，上記水抜き穴は，上記折返し板部に穿設した貫通穴に樹脂製のパイプを埋め込んでなることを特徴とする開口部周り化粧部材。
【発明の詳細な説明】
【０００１】
【発明の属する技術分野】
本発明は，既存の建物をリフォームするための窓等の開口部周りにおける開口部周り施工構造及びこれに用いる開口部周り化粧部材に関する。
【０００２】
【従来の技術】
従来より，既存の建物のリフォームを行うに当り，既存壁の前方から，新たな窯業系外壁板を配設する。そして，上記建物における窓等の開口部の前方には，上記新たな窯業系外壁板が配されないようにする。
そのために，上記開口部の周りには，上記窯業系外壁板の端面が配置される。この端面が露出した状態を放置することは，防水性，意匠性の観点から望ましくない。
それ故，特許文献１，２に示すごとく，上記開口部の周りには，上記既存壁の前方から開口部周り化粧部材を配設する。
【０００３】
【特許文献１】
特開２００２−１８８２７９号公報
【特許文献２】
特開２００２−１８８２８０号公報
【０００４】
【発明が解決しようとする課題】
しかしながら，上記従来の開口部周り化粧部材は金属製の部材であり，その周りに配される窯業系外壁板と質感の差は避け難い。そのため，場合によっては，リフォーム後の開口部周りの外観に違和感を生じるおそれがある。
また，上記開口部周り化粧部材は，部品点数が多く，部品コスト，施工費用が高いという問題もある。
また，上記開口部周り化粧部材は，窯業系外壁板の端部を収容する収容部を有するが，窯業系外壁板と収容部との間に隙間があると，窯業系外壁板の表側面を伝ってきた雨水が上記収容部との間から浸入するおそれがある。
【０００５】
本発明は，かかる従来の問題点に鑑みてなされたもので，外観意匠性及び防水性に優れた開口部周り施工構造及び開口部周り化粧部材を提供しようとするものである。
【０００６】
【課題を解決するための手段】
第１の発明は，既存の建物の既存壁の前方から，新たな窯業系外壁板を配設すると共に，上記建物の開口部の周りに，上記既存壁の前方から開口部周り化粧部材を配設してなる，リフォーム用の開口部周り施工構造であって，
上記既存壁の前面には，上記開口部の周りの４辺に沿って下地材が固定され，該下地材には，その前方から上記開口部周り化粧部材が固定されており，
該開口部周り化粧部材は，窯業系材料からなると共に，上記下地材の前方に配される前板部と，該前板部から後方へ屈曲形成された折返し板部とを有し，
上記前板部は，上記窯業系外壁板と隣接して配置され，上記折返し板部は，その後端が上記開口部の内方へ向うよう配置されており，
かつ，上記開口部の周りの４辺に沿って配設された上記開口部周り化粧部材同士の間，及び該開口部周り化粧部材と上記窯業系外壁板との間には，シーリング材が打設してあることを特徴とする開口部周り施工構造にある（請求項１）。
【０００７】
次に，本発明の作用効果につき説明する。
上記開口部周り化粧部材は，隣接配置された他の窯業系外壁板と同じ窯業系材料からなる。そのため，上記開口部周り化粧部材が，隣接配置された窯業系外壁板と外観上融合し，上記開口部周りの意匠性を向上させることができる。
また，上記窯業系外壁板の端部が，上記開口部において露出することがないため，外観意匠性を確保することができると共に，窯業系外壁板への雨水の浸透を防ぐことができる。
【０００８】
また，上記開口部周り化粧部材は，上記折返し板部を有し，該折返し板部をその後端が上記既存の建物の開口部に向うよう配置している。そのため，上記開口部から，上記開口部周り化粧部材の後方に雨水が浸入することを防ぐことができる。
また，上記開口部周り化粧部材同士の間，及び該開口部周り化粧部材と上記窯業系外壁板との間には，シーリング材が打設してある。そのため，上記開口部周り化粧部材同士の間や，開口部周り化粧部材と上記窯業系外壁板との間から，雨水が浸入することを防ぐことができる。
【０００９】
以上のごとく，本発明によれば，外観意匠性及び防水性に優れた開口部周り施工構造を提供することができる。
【００１０】
第２の発明は，既存の建物の開口部の周りに既存壁の前方から配設する，リフォーム用の開口部周り化粧部材であって，
該開口部周り化粧部材は，窯業系材料からなると共に，平板状の前板部と，該前板部から後方へ屈曲形成された折返し板部とを有してなり，
上記開口部周り化粧部材を上記開口部の周りに配設したとき，上記前板部は，上記既存壁の前方から配設される新たな窯業系外壁板と隣接して配置され，上記折返し板部は，その後端が上記開口部の内方へ向うように配置されるよう構成されていることを特徴とする開口部周り化粧部材にある（請求項６）。
【００１１】
上記開口部周り化粧部材は，隣接配置される他の窯業系外壁板と同じ窯業系材料からなる。そのため，上記開口部周り化粧部材を開口部周りに配設したとき，上記開口部周り化粧部材が，隣接配置される窯業系外壁板と外観上融合し，上記開口部周りの意匠性を向上させることができる。
また，上記開口部周り化粧部材は，上記折返し板部を有し，該折返し板部をその後端が上記既存の建物の開口部に向うよう配置することができる。そのため，上記開口部から，上記開口部周り化粧部材の後方に雨水が浸入することを防ぐことができる。
【００１２】
以上のごとく，本発明によれば，外観意匠性及び防水性に優れた開口部周り化粧部材を提供することができる。
【００１３】
【発明の実施の形態】
上記第１の発明（請求項１）において，上記開口部周り化粧部材の前板部の意匠面と上記窯業系外壁板の意匠面とは，略同一平面上にあることが好ましい。即ち，両意匠面の間の前後方向の段差を，例えば３ｍｍ以下とすることが好ましい。この場合には，上記開口部周り化粧部材が窯業系外壁板に一層外観上融合し，より外観意匠性に優れた開口部周り施工構造を得ることができる。
上記段差が３ｍｍを超える場合には，その段差が目立ち，外観意匠性を損ねるおそれがある。
【００１４】
また，上記開口部の上辺に配された上記開口部周り化粧部材は，上記折返し板部の裏側面と上記前板部の裏側面とのなす角度が鈍角であることが好ましい（請求項２）。
この場合には，上記折返し板部の裏側面は後方へ傾斜して配設されるため，上記開口部周り化粧部材の裏側面に結露しても，その結露水が上記折返し板部と上記前板部との間に溜まることを防ぐことができる。
【００１５】
次に，上記開口部の上辺に配された上記開口部周り化粧部材は，上記折返し板部に，略鉛直方向に貫通した水抜き穴を形成してなることが好ましい（請求項３）。
この場合には，上記開口部周り化粧部材の裏側面に結露しても，その結露水を上記水抜き穴から排除することができる。
【００１６】
また，上記水抜き穴は，上記折返し板部に穿設した貫通穴に樹脂製のパイプを埋め込んでなることが好ましい（請求項４）。
この場合には，結露水が上記開口部周り化粧部材内部に浸透することを防ぐことができる。
【００１７】
また，上記開口部周り化粧部材と上記下地材との間には，略鉛直方向に貫通した通気穴を有するパッキン材が介在していることが好ましい（請求項５）。
この場合には，上記開口部周り化粧部材と下地材との間に通気層を形成して，開口部周り化粧部材の後方の通気性を確保することができる。
【００１８】
次に，上記第２の発明（請求項６）において，上記開口部周り化粧部材の前板部の厚みは，上記窯業系外壁板の厚みと略同等であることが好ましい。即ち，例えば，上記開口部周り化粧部材の厚みと上記窯業系外壁板との厚みの差は，２ｍｍ以下であることが好ましい。この場合には，同一平面上にある下地材の前面に開口部周り化粧部材と窯業系外壁板とを固定したとき，上記開口部周り化粧部材の前板部の意匠面と，上記窯業系外壁板の意匠面とを，略同一平面上に配することができる。これにより，一層外観意匠性に優れた開口部周り施工構造を得ることができる。
上記厚みの差が２ｍｍを超える場合には，同一平面上にある下地材の前面に開口部周り化粧部材と窯業系外壁板とを固定したとき，両者の意匠面の間に生ずる段差が目立ち，外観意匠性を損ねるおそれがある。
【００１９】
また，上記折返し板部の裏側面と上記前板部の裏側面とのなす角度が鈍角であることが好ましい（請求項７）。
この場合には，上記開口部周り化粧部材の裏側面に結露しても，その結露水が上記折返し板部と上記前板部との間に溜まることを防ぐことができる。
【００２０】
また，上記開口部周り化粧部材は，上記開口部の上辺に配される化粧部材であり，上記折返し板部に，略鉛直方向に貫通した水抜き穴を形成してなることが好ましい（請求項８）。
この場合には，上記開口部周り化粧部材の裏側面に結露しても，その結露水を上記水抜き穴から排除することができる。
【００２１】
また，上記水抜き穴は，上記折返し板部に穿設した貫通穴に樹脂製のパイプを埋め込んでなることが好ましい（請求項９）。
この場合には，結露水が上記開口部周り化粧部材に浸透することを容易に防ぐことができる。
【００２２】
【実施例】
（実施例１）
本発明の実施例にかかる開口部周り施工構造及び開口部周り化粧部材につき，図１〜図９を用いて説明する。
上記開口部周り施工構造１は，図１，図２に示すごとく，既存の建物の既存壁４１の前方から，新たな窯業系外壁板２を配設すると共に，上記建物の開口部４２の周りに，上記既存壁４１の前方から開口部周り化粧部材３を配設してなる，リフォーム用の開口部周り施工構造である。
【００２３】
上記既存壁４１の前面には，図２，図３に示すごとく，上記開口部４２の周りの４辺に沿って下地材１１が固定され，該下地材１１には，その前方から上記開口部周り化粧部材３が固定されている。
該開口部周り化粧部材３は，窯業系材料からなると共に，図６，図７に示すごとく，上記下地材１１の前方に配される前板部３１と，該前板部３１から後方へ屈曲形成された折返し板部３２とを有する。
【００２４】
図１，図２に示すごとく，上記前板部３１は，周囲に配される上記窯業系外壁板２と隣接して配置され，上記折返し板部３２は，その後端３２１が上記開口部４２の内方へ向うよう配置されている。
上記開口部４２の周りの４辺に沿って配設された上記開口部周り化粧部材３同士の間，及び該開口部周り化粧部材３と周囲に配される上記窯業系外壁板２との間には，シーリング材１２が打設してある。
【００２５】
上記開口部４２の上辺及び下辺に配された下地材１１は，横胴縁１１１であり，上記開口部４２の左辺及び右辺に配された下地材１１は，縦胴縁１１２である。
また，図３に示すごとく，上記開口部４２の下辺に配された横胴縁１１１の左右端部と，上記縦胴縁１１２との間には，約１０ｍｍの間隙１１３が形成されている。
また，図１，図２に示すごとく，上記開口部４２には窓サッシ４３が配設されている。
【００２６】
図２に示すごとく，上記開口部周り化粧部材３と上記下地材１１との間には，図４，図５に示すような，略鉛直方向に貫通した通気穴１３１を有するパッキン材１３，１３０が介在している。上記横胴縁１１１の前面には，図４に示す横長のパッキン材１３が配され，上記縦胴縁１１２の前面には，図５に示す縦長のパッキン材１３０が配されている。
【００２７】
図２に示すごとく，上記開口部周り化粧部材３は，釘１４によって，上記パッキン材１３，１３０と共に上記下地材１１に固定されている。
また，上記開口部周り化粧部材３とこれに隣接配置された窯業系外壁板２との間には，ハットジョイナー１５が配設されている。
【００２８】
図２，図６に示すごとく，上記開口部４２の上辺に配された上記開口部周り化粧部材３０１は，上記折返し板部３２の裏側面３２２と上記前板部３１の裏側面３１２とのなす角度が鈍角である。本例においては，該角度は約１００°である。
また，図７に示すごとく，他の辺，即ち上記開口部４２の左右辺及び下辺に配された開口部周り化粧部材３も，同様に，上記折返し板部３２の裏側面３２２と上記前板部３１の裏側面３１２とのなす角度が約９０°である。
【００２９】
上記開口部周り化粧部材３は，他の部分に配設する上記窯業系外壁板２と同じ窯業系建築板を適切な大きさに切断加工した２枚の切断片を，互いに接合することにより得る。即ち，一方の切断片が前板部３１となり，他方の切断片が折返し板部３２となる。それ故，開口部周り化粧部材３の前板部３１及び折返し板部３２の厚みは，上記窯業系外壁板２の厚みと同等である。
そして，図１，図２に示すごとく，上記開口部周り化粧部材３の前板部３１の意匠面３１１と上記窯業系外壁板２の意匠面２１とは，略同一面上に配されている。
【００３０】
図２，図６，図９に示すごとく，上記開口部４２の上辺に配された上記開口部周り化粧部材３０１は，上記折返し板部３２に，略鉛直方向に貫通した水抜き穴３２３を形成してなる。
上記水抜き穴３２３は，上記折返し板部３２に穿設した貫通穴に，図８に示すような樹脂製のパイプ３２４を埋め込んでなる。
【００３１】
また，図６，図９に示すごとく，上記折返し板部３２の裏側面３２２には，隣り合う上記水抜き穴３２３を連結するように，集水溝３２５が形成されている。また，図３，図９に示すごとく，上記開口部４２の上辺又は下辺に配される上記開口部周り化粧部材３は，その折返し板部３２の左右端部にそれぞれ切欠部３２６を形成してなる。そして，図３に示すごとく，上記開口部周り化粧部材３を上記開口部４２の上辺又は下辺に配置したとき，上記切欠き部３２６に，左右辺の縦胴縁１１２が配置されるようになっている。
【００３２】
次に，本例の作用効果につき説明する。
上記開口部周り化粧部材３は，隣接配置された他の窯業系外壁板２と同じ窯業系材料からなる。そのため，上記開口部周り化粧部材３が，隣接配置された窯業系外壁板２と外観上融合し，上記開口部周りの意匠性を向上させることができる。
また，上記窯業系外壁板２の端部が，上記開口部４２において露出することがないため，外観意匠性を確保することができると共に，窯業系外壁板２への雨水の浸透を防ぐことができる。
【００３３】
また，上記開口部周り化粧部材３は，上記折返し板部３２を有し，該折返し板部３２をその後端３２１が上記既存の建物の開口部４２の内方に向うよう配置している。そのため，上記開口部４２から，上記開口部周り化粧部材３の後方に雨水が浸入することを防ぐことができる。
【００３４】
また，図１，図２に示すごとく，上記開口部周り化粧部材３同士の間，及び該開口部周り化粧部材３とその周囲の上記窯業系外壁板２との間には，シーリング材１２が打設してある。そのため，上記開口部周り化粧部材３同士の間や，開口部周り化粧部材３と上記窯業系外壁板２との間から，雨水が浸入することを防ぐことができる。
【００３５】
また，図２に示すごとく，上記開口部周り化粧部材３の前板部３１の厚みが上記窯業系外壁板２の厚みと同等であり，上記前板部３１の意匠面３１１が上記窯業系外壁板２の意匠面２１と略同一平面上に配されている。そのため，上記開口部周り化粧部材３が，周囲の窯業系外壁板２に一層外観上融合し，より外観意匠性に優れた開口部周り施工構造１を得ることができる。
【００３６】
また，上記開口部４２の上辺に配された上記開口部周り化粧部材３０１は，上記折返し板部３２の裏側面３２２と上記前板部３１の裏側面３１２とのなす角度が鈍角である。これにより，上記折返し板部３２の裏側面３２２は後方へ傾斜して配設されるため，上記開口部周り化粧部材３の裏側面に結露しても，その結露水が上記折返し板部３２と上記前板部３１との間に溜まることを防ぐことができる。
【００３７】
上記開口部４２の上辺に配された上記開口部周り化粧部材３０１は，折返し板部３２に，上記水抜き穴３２３を形成してなるため，上記開口部周り化粧部材３の裏側面に結露しても，その結露水を上記水抜き穴３２３から排除することができる。
また，上記水抜き穴３２３は，上記折返し板部３２に穿設した貫通穴に樹脂製のパイプ３２４（図８参照）を埋め込んでなるため，結露水が上記開口部周り化粧部材３内部に浸透することを防ぐことができる。
【００３８】
また，上記開口部周り化粧部材３と上記下地材１１との間には，パッキン材１３，１３０（図４，図５参照）が介在している。そのため，上記開口部周り化粧部材３と下地材１１との間に通気層１６を形成して，開口部周り化粧部材３の後方の通気性を確保することができる。
【００３９】
以上のごとく，本例によれば，外観意匠性及び防水性に優れた開口部周り施工構造及び開口部周り化粧部材を提供することができる。
【００４０】
（実施例２）
本例は，図１０，図１１に示すごとく，一体成形してなる開口部周り化粧部材３０の例である。
即ち，押し出し成形により，前板部３１と折返し板部３２とを一体成形してなる該開口部周り化粧部材３０を得る。
そして，既存壁の開口部４２の上辺に配する開口部周り化粧部材３０１については，図１０に示すごとく，上記折返し板部３２に水抜き穴３２３及び集水溝３２５を形成する。
その他は，実施例１と同様である。
【００４１】
この場合には，前板部３１と折返し板部３２とを接合する手間がかからない分，製造容易な開口部周り化粧部材３０を得ることができる。
その他，実施例１と同様の作用効果を得ることができる。
【００４２】
上記実施例においては，開口部４２の上辺又は下辺に配される開口部周り化粧部材３に，切欠き部３２６（図９参照）を形成する例を示したが，切欠き部３２６は，開口部４２の左右辺に配される開口部周り化粧部材３に形成してもよい。また，上記切欠き部３２６を全く形成しなくてもよいし，或いは切欠き部３２６の大きさを種々変えることもできる。
即ち，得ようとする外観意匠に応じて，上記切欠き部３２６の形成パターンは種々変えることができる。
【００４３】
【発明の効果】
以上のごとく，本発明によれば，外観意匠性及び防水性に優れた開口部周り施工構造及び開口部周り化粧部材を提供することができる。
【図面の簡単な説明】
【図１】実施例１における，開口部周り施工構造の斜視図。
【図２】図１のＡ−Ａ線矢視断面図。
【図３】実施例１における，下地材と開口部周り化粧部材の配設状態を示す斜視図。
【図４】実施例１における，横長のパッキン材の斜視図。
【図５】実施例１における，縦長のパッキン材の斜視図。
【図６】実施例１における，開口部の上辺に配される開口部周り化粧部材の斜視図。
【図７】実施例１における，開口部の左右辺又は下辺に配される開口部周り化粧部材の斜視図。
【図８】実施例１における，水抜き穴に配されるパイプの斜視図。
【図９】実施例１における，開口部の上辺に配される開口部周り化粧部材の端部の斜視図。
【図１０】実施例２における，開口部の上辺に配される開口部周り化粧部材の斜視図。
【図１１】実施例２における，開口部の左右辺又は下辺に配される開口部周り化粧部材の斜視図。
【符号の説明】
１．．．開口部周り施工構造，
１１．．．下地材，
１２．．．シーリング部材，
２．．．窯業系外壁板，
３．．．開口部周り化粧部材，
３１．．．前板部，
３２．．．折返し板部，
４１．．．既存壁，
４２．．．開口部，
【図１】
2004225392.tif 000003
【図２】
2004225392.tif 000004
【図３】
2004225392.tif 000005
【図４】
2004225392.tif 000006
【図５】
2004225392.tif 000007
【図６】
2004225392.tif 000008
【図７】
2004225392.tif 000009
【図８】
2004225392.tif 000010
【図９】
2004225392.tif 000011
【図１０】
2004225392.tif 000012
【図１１】
2004225392.tif 000013